(57)【要約】【課題】表面側から写真や絵画などの扁平状装飾物を収納する場合に、テープやコーナースリットなどを使うことなく固定できるようにする。【解決手段】扁平状装飾物４を背面側から支持する背面支持部２と、背面支持部２の表面側に設けられ、扁平状装飾物４の各端部を保持する表面材３を備え、その表面材３に扁平状装飾物４を収納するための開口部３１を設ける。この開口部３１は、外側に向けて背面支持部２との隙間を小さくするテーパー面３３ａや段部３３ｂを設けおり、これによって背面支持部２との間で凹部３３を形成する。一方、その開口部３１の角部には、扁平状装飾物４のコーナー４１を保持しない退避部３４を設けており、この退避部３４に存在する扁平状装飾物４を撓ませて凹部３３に収納する。【選択図】図６
2013013426.tif 000002
【特許請求の範囲】
【請求項１】
写真や絵画、版画などの扁平状装飾物の背面側を支持する背面支持部と、扁平状装飾物のコーナーを除く端辺近傍をその長手方向にわたって表裏に挟み込む凹部とを設け、当該一の端辺を挟み込む凹部とこれに直交する他の端辺を挟み込む凹部との間に扁平状装飾物のコーナーを保持しない退避部を設けるようにしたことを特徴とする扁平状装飾物用の額縁。
【請求項２】
写真や絵画、版画などの扁平状装飾物の背面側を支持する背面支持部と、当該背面支持部の表面側に設けられる板状体とを備えてなる扁平状装飾物用の額縁であって、
当該板状体に、
前記扁平状装飾物を収納する開口部と、当該開口部の縁に前記扁平状装飾物のコーナーを除く端辺近傍を長手方向にわたって表裏に挟み込む凹部と、当該開口部のコーナーを刳り貫くことによって形成された待避部を形成するようにことを特徴とする扁平状装飾物用の額縁。
【請求項３】
独立した保持体を、前記扁平状装飾物のコーナーを除く端部に対応する位置に設けた請求項１に記載の扁平状装飾物用の額縁。
【請求項４】
写真や絵画、版画などの扁平状装飾物の背面側を支持する背面支持部を備えてなる額縁において、
背面支持部を、写真全体を収納できるように表面側から背面側へ向けて凹ました開口部と、当該開口部の縁部の内壁を外側へ向けて凹まして、扁平状装飾物の端辺近傍を長手方向にわたって表裏に挟み込ませるようにした凹部と、当該開口部の角部に、前記扁平状装飾物のコーナーを保持しない退避部とを設けるようにしたことを特徴とする扁平状装飾物用の額縁。
【発明の詳細な説明】
【技術分野】
【０００１】
本発明は、写真や絵画、版画などのような扁平状装飾物を飾るための額縁に関し、より詳しくは、表面側から扁平状装飾物を収納して、すべての端辺を支持できるようにした額縁に関するものである。
【背景技術】
【０００２】
従来より、写真などを飾るための額縁として、次のような２種類の額縁が知られている。
【０００３】
まず、第一の額縁が、図８に示すように、背面側から写真を入れて保持させる額縁である（特許文献１など）。この額縁は、一般的に、背面側に設けられた開口部６１と、この開口部６１を介して収納された写真を支持する背面支持部６２と、ガラスなどで覆われた開口部（図示せず）を有するオーバーマウント６３とを備えてなるもので、背面側に設けられたヒンジ６４を回転させて背面支持部６２を取り外し、これによって開口部６１に写真を収納して背面支持部６２で押圧できるようにしたものである。
【０００４】
また、第二の種類の額縁は、図９に示すように、表面側から写真を入れて保持させる額縁である（特許文献２など）。この額縁は、一般的に、表面側から入れられた写真の背面を支持する背面支持部７１と、その背面支持部７１に支持された写真の縁部を隠すように設けられた開口部７２を有するオーバーマウント７３とを備えてなるもので、紙などによって構成された背面支持部７１にコーナースリット７４や写真を貼り付けるテープ７５などを設けることによって写真を支持できるようにしたものである。
【先行技術文献】
【特許文献】
【０００５】
【特許文献１】特開２００６−１８７４００号公報
【特許文献２】特開平９−２７６１０４号公報
【発明の概要】
【発明が解決しようとする課題】
【０００６】
しかしながら、これらの額縁では次のような問題がある。
【０００７】
すなわち、第一の種類のように背面側から写真を入れる構造（図８）のものでは、写真を背面支持部６２で押さえ付けるためのヒンジ６４が背面側に突出してしまい、これを壁面に掛けると壁面との間に隙間を生じてしまう。また、背面側から写真を入れる構造であると、ヒンジ６４と壁面との接触や、ヒンジ６４の軸の遊びなどによってヒンジ６４が勝手に回転してしまう可能性もある。
【０００８】
また、第二の種類のうち、表面側から写真を入れてコーナースリット７４にコーナーを挿入する構造（図９）のものでは、写真のコーナーをコーナースリット７４に挿入する際に、最も痛みの生じやすいそのコーナー部分が折り曲げられてしまう可能性があり、また、そのコーナーの挿入によって写真の中央部分に盛り上がりを生じさせてしまう。
【０００９】
さらには、写真の表面にテープ７５を貼り付けて固定する方法では、写真を剥がす際に写真の表面を剥がしてしまう可能性があり、これを防止するために、テープ７５の粘着力を弱くすると、温度変化などによって写真が落下してしまう可能性がある。
【００１０】
そこで、本発明は上記課題に着目してなされたもので、表面側から写真や絵画、版画などの扁平状装飾物を収納する場合に、テープやコーナースリットなどを使うことなく扁平状装飾物を固定できるようにする扁平状装飾物用の額縁を提供することを目的とする。
【課題を解決するための手段】
【００１１】
すなわち、本発明は上記課題を解決するために、写真や絵画、版画などの扁平状装飾物の背面側を支持する背面支持部と、扁平状装飾物のコーナーを除く端辺近傍をその長手方向にわたって表裏に挟み込む凹部とを設け、当該一の端辺を挟み込む凹部とこれに直交する他の端辺を挟み込む凹部との間に扁平状装飾物のコーナーを保持しない退避部を設けるようにしたものである。
【００１２】
このようにすれば、最も痛みやすいコーナーを傷つけることなく扁平状装飾物を保持させることができるとともに、コーナーを保持させていないため、扁平状装飾物の端辺を保持させる場合に、図５や図６のように、まず上下や左右のいずれか一方の端辺を挟み込ませて凹部に挟み込んだ後、他の左右端辺もしくは上下端辺をコーナー近傍から撓ませて凹部に挟み込ませることができるようになる。
【００１３】
また、このような発明において、背面保持部の表面側に表面材を設けるようにするとともに、その表面材に、前記扁平状装飾物を収納する開口部と、当該開口部の縁に前記扁平状装飾物のコーナーを除く端辺近傍を長手方向にわたって表裏に挟み込む凹部と、当該開口部のコーナーを刳り貫くことによって形成された待避部を形成する。
【００１４】
このようにすれば、表面材によって凹部や退避部を同時に形成することができ、各端辺にそれぞれ独立した凹部を取り付けて退避部を形成する場合に比べて簡単に凹部や待避部を形成することができる。
【００１５】
さらには、このような凹部を有する保持部を独立して設け、扁平状装飾物のコーナーを除く各端辺に設けることもできる。
【００１６】
加えて、背面支持部を、写真全体を収納できるように表面側から背面側へ向けて凹ました開口部と、当該開口部の縁部の内壁を外側へ向けて凹まして、扁平状装飾物の端辺近傍を長手方向にわたって表裏に挟み込ませるようにした凹部と、当該開口部の角部に、前記扁平状装飾物のコーナーを保持しない退避部とを設けるようにすることもできる。
【発明の効果】
【００１７】
本発明では、写真や絵画、版画などの扁平状装飾物の背面側を支持する背面支持部と、扁平状装飾物のコーナーを除く端辺近傍をその長手方向にわたって表裏に挟み込む凹部とを設け、当該一の端辺を挟み込む凹部とこれに直交する他の端辺を挟み込む凹部との間に扁平状装飾物のコーナーを保持しない退避部を設けるようにしたので、最も痛みやすいコーナーを傷つけることなく扁平状装飾物を保持させることができるようになる。しかも、コーナーを保持させていないため、扁平状装飾物の端辺を保持させる場合に、上下や左右のいずれか一方の端辺を挟み込ませて凹部に挟み込んだ後に、他の左右端辺もしくは上下端辺をコーナー近傍から撓ませて凹部に挟み込ませることができるようになる。
【図面の簡単な説明】
【００１８】
【図１】本発明の一実施の形態における額縁の正面図
【図２】図１におけるＡ−Ａ断面図
【図３】図１におけるＢ−Ｂ断面図
【図４】同形態における分解斜視図
【図５】同形態における上下端部を挟み込む場合の作業例を示す図
【図６】同形態における左右端部を挟み込む場合のコーナーの拡大図
【図７】他の同形態における額縁を示す図
【図８】従来例における額縁を示す図
【図９】従来例における額縁を示す図
【発明を実施するための形態】
【００１９】
以下、本発明の実施の形態について図面を参照して説明する。本実施の形態の額縁１は、写真や絵画などのような扁平状装飾物４の背面を全体的に支持する背面支持部２と、扁平状装飾物４を表側から収納するための開口部３１を備えた表面材３とを有してなる。そして、特徴的に、その開口部３１の内側壁面部分に、開口部３１の外側に向けて背面支持部２との隙間を小さくするテーパー面３３ａや段部３３ｂを設け、これによって、背面支持部２との間に凹部３３を形成し、さらに、開口部３１の四隅に、扁平状装飾物４のコーナー４１を保持させない退避部３４を形成するようにしたものである。そして、このように構成することによって、凹部３３に扁平状装飾物４のコーナー４１を除いた端辺を保持させるとともに、図５や図６に示すように、退避部３４によって保持されていない端辺を撓ませて他の凹部３３への挟み込みを容易に行えるようにしたものである。以下、本実施の形態における額縁１について詳細に説明する。
【００２０】
まず、この額縁１を構成する背面支持部２は、写真や絵画などの扁平状装飾物４の背面側を全体的に支持できるようにした板状体で構成され、素材としては、例えば、コットンを主成分とする中性紙などが用いられる。なお、この素材については、洋紙などを用いることもできるが、洋紙は一般にロジンを含んでいるため、紙葉類がｐＨ４〜６と酸性になり、硫酸バンドから生ずる硫酸イオンによって変色し、その変色によって芸術品である写真や絵画などに汚れを付着させてしまう可能性がある。これに対して、中性紙（alkaline paper）は、長期間保存しても劣化が少なく、保存性や耐久性があるために芸術品である写真や絵画などを汚してしまう危険性が少なくなるというメリットがある。そこで、この実施の形態においては、背面支持部２を中性紙である紙葉類を用いるようにしている。なお、ここで「中性紙」とは、ｐＨ７〜８の範囲に属する紙をいい、コットンを主成分とする紙や和紙などが代表的な例としてあげられる。また、「和紙」とは、コウゾ、ミツマタ、ガンビ、クワ、アカソ、モロヘイヤ、フキなどの材料に灰汁などのアルカリ性溶液を加えて高温で加熱し、原料中に含まれる繊維以外の不純物を煮熟した後、流水によって灰汁を抜き、繊維を取り出して漉いた紙をいう。これらの中性紙か酸性紙かの判断は、ＪＩＳ法やｐＨ試験液を塗布して判定する方法で判断することができる。
【００２１】
一方、このような背面支持部２の表面側に取り付けられる表面材３は、背面支持部２と同じ外形形状を有する矩形状の紙葉類で構成されるもので、その中央部分に写真や絵画などの扁平状装飾物４を収納するための開口部３１を設けている。なお、この表面材３についても、同様に中性紙を用いるようにする。この開口部３１は、図２や図３に示すように、開口部３１の外側に向けて背面支持部２との隙間を小さくするテーパー面３３ａを設けており、さらに、その背面支持部２側に、扁平状装飾物４の端辺を収納するための段部３３ｂを形成している。そして、このように形成されたテーパー面３３ａや段部３３ｂを有する表面材３を背面支持部２の表面側に接合させることによって、背面支持部２との間に凹部３３を形成し、扁平状装飾物４の端辺のみを挟み込んで保持できるようにしている。
【００２２】
このような凹部３３に扁平状装飾物４の端辺を挟み込ませる場合、例えば、扁平状装飾物４の上下端辺を挟み込ませた後、左右端辺を挟み込ませようとすると、既に上下の凹部に挟み込まれている上下端辺の左右コーナー４１近傍が一旦その凹部から外れてしまう。しかも、このように凹部から外れた状態で、再び左右端辺を撓ませて左右の凹部に挟み込ませようとすると、上下の端辺が開口部３１の縁に強く当たってコーナー４１近傍を折り曲げてしまう。逆に、このような上下左右の端辺をすべて同時に凹部に挟み込ませようと開口部３１を大きくすると、凹部の奥方で扁平状装飾物４が動いてしまい、安定性の悪いものになってしまう。そこで、この実施の形態では、扁平状装飾物４のコーナー４１を除く部分にのみ凹部３３を設けるとともに、扁平状装飾物４のコーナー４１に対応する位置には、扁平状装飾物４の端部近傍を撓ませて凹部３３に挟み込ませるための退避部３４を形成するようにしている。この退避部３４を形成する場合、本実施の形態においては、板状体である表面材３における開口部３１の四隅を刳り貫き、これによって、その刳り貫き部分では扁平状装飾物４のコーナー４１を保持させないようにしている。なお、本実施の形態では、退避部３４を円形に刳り貫いた形状としているが、必ずしも円形である必要はなく、上下端辺もしくは左右端辺のいずれかを挟み込んでいる状態で他方の端辺近傍を撓ませるだけの空間を形成できるようなものであればどのような形状もしくは空間であってもよい。
【００２３】
また、この表面材３の表面にはオーバーマウント５が取り付けられる。このオーバーマウント５は必要に応じて取り付けられるものであって、表面材３の開口部３１に対応する開口部５１を有し、これによって表面材３の退避部３４を隠して扁平状装飾物４を視認させるようにしている。
【００２４】
次に、このように構成された額縁１に扁平状装飾物４を取り付ける場合の作業例について説明する。
【００２５】
まず、写真や絵画などの扁平状装飾物４を取り付ける場合、その扁平状装飾物４の上方もしくは下方のいずれか一方の端辺を開口部３１のテーパー面３３ａに挿入し、その奥方の段部３３ｂにスライドさせて挟み込む。そして、その段部３３ｂに一辺のほぼ全体を支持させた状態で、今度は、扁平状装飾物４の反対側の端辺を撓ませて対向するテーパー面３３ａや段部３３ｂに挿入して支持させる。すると、扁平状装飾物４は、図５に示すように、上下端辺のみが凹部３３に挟み込まれた状態となるとともに、上下のコーナー４１近傍の端部については、凹部３３の存在しない退避部３４で自由な状態となっている。
【００２６】
このような状態で、今度は、左右いずれか一方の扁平状装飾物４の端辺近傍を撓ませるか、もしくは、背面支持部２側を撓ませることによって、その端辺を凹部３３に挟み込ませる。このとき、上方および下方のコーナー４１近傍における上下端部は上下の凹部３３に挟み込まれていない自由な状態となっているため、図６に示すように、その退避部３４近傍のコーナー４１から撓ませて凹部３３に挟み込ませることができる。そして、この撓みによってコーナー４１を傷つけることなく左右いずれか一方の端辺を凹部３３に収納した後、反対側の端辺近傍についても同様に撓ませて凹部３３に挟み込ませる。この場合も、同様に、上側および下側のコーナー４１近傍における上下端部は上下の凹部３３に挟み込まれていない状態となっているため、図６に示すように、その退避部３４近傍のコーナー４１を撓ませて凹部３３に挟み込ませることができる。
【００２７】
そして、このように扁平状装飾物４を収納した後、表面材３の表面側にオーバーマウント５を取り付ける。これによって表面材３に設けられた円形の退避部３４を隠して扁平状装飾物４のみを視認させるようにする。
【００２８】
このように、上記実施の形態によれば、写真や絵画、版画などの扁平状装飾物４の背面側を支持する背面支持部２と、扁平状装飾物４のコーナー４１を除く端辺をその長手方向にわたって表裏に挟み込む凹部３３とを設け、一の端辺の凹部３３とこれに直交する端辺の凹部３３との間に、扁平状装飾物４のコーナー４１を保持させない退避部３４を設けるようにしたので、扁平状装飾物４のコーナー４１を除く端辺を凹部３３に挟み込んで保持させることができ、痛みやすいコーナー４１を傷つけることなく扁平状装飾物４を保持させることができる。しかも、扁平状装飾物４のコーナー４１を保持していないため、扁平状装飾物４の端辺を保持させる場合に、図５や図６のように、まず上下や左右のいずれか一方の端辺を挟み込ませた後、保持されていない左右端辺もしくは上下端辺のコーナー４１近傍から撓ませて凹部に挟み込ませることができるようになる。また、各コーナー４１を保持するのではなく、端辺を保持するので、扁平状装飾物４が中央に膨れあがるようなことがなくなり、オーバーマウント５を取り付けなくても扁平状装飾物４を綺麗に収納することができる。
【００２９】
また、表面材３を一枚の板状体で構成し、その開口部３１の縁にテーパー面３３ａや段部３３ｂを設けて凹部３３を形成するとともに、その開口部３１の角部を刳り貫いて退避部３４を形成するようにしたので、簡単に凹部３３や退避部３４を構成することができるようになる。
【００３０】
なお、本発明は上記実施の形態に限定されることなく、種々の態様で実施することができる。
【００３１】
すなわち、上記実施の形態では、一枚の表面材３に開口部３１を設けて凹部３３や退避部３４を設けるようにしたが、図７に示すように、扁平状装飾物４の四辺の対応する位置にのみ独立した保持部３２を設けるようにしてもよい。この場合、その保持部３２にテーパー面や段部などを設けて凹部３３を構成するようにし、これを、扁平状装飾物４のコーナー４１を除く中央部近傍にのみ設けるようにする。このようにすると、保持部３２とこれに隣接して直交する保持部３２との間に退避部３４を形成することができるようになる。
【００３２】
また、上記実施の形態では、背面支持部２と表面材３とをそれぞれ別の板状体で構成したが、これを一枚の板状体で形成するようにしてもよい。この場合、比較的厚い一枚の板状体を切削加工によって開口部３１や凹部３３、退避部３４を形成するとよい。
【００３３】
さらに、上記実施の形態では、表面材３にテーパー面３３ａや段部３３ｂを設けて凹部３３を形成するようにしたが、テーパー面３３ａだけであってもよく、あるいは段部３３ｂだけであってもよい。また、テーパー面３３ａと段部３３ｂを設ける場合は、加工を容易にするために、テーパー面３３ａのみを設けた第一の表面材３と、段部３３ｂのみを設けた第二の表面材３を別々に設け、これらを貼り合わせて凹部３３を形成するようにしてもよい。
【００３４】
加えて、上記実施の形態では、背面支持部２や表面材３を中性紙である紙葉類によって構成したが、必ずしも紙葉類で構成する必要はなく、プラスチックや木材、金属板、ガラス板などによって構成することもできる。
【００３５】
また、上記実施の形態では、オーバーマウント５を取り付けるようにしているが、このオーバーマウント５を取り付けることなく、背面支持部２と表面材３によって額縁１を構成するようにしてもよい。
【００３６】
また、上記実施の形態では、扁平状装飾物４の端辺を撓ませて凹部３３に挟み込ませるようにしたが、背面支持部２や表面材３などが紙葉類で構成されている場合は、その背面支持部２や表面材３を撓ませて凹部３３に挟み込ませるようにすることもできる。
【符号の説明】
【００３７】
１・・・額縁
２・・・背面支持部
３・・・表面材
３１・・・開口部
３２・・・保持部
３３・・・凹部
３３ａ・・・テーパー面
３３ｂ・・・段部
３４・・・退避部
４・・・扁平状装飾物
４１・・・コーナー
５・・・オーバーマウント
５１・・・開口部
【図１】
2013013426.tif 000003
【図２】
2013013426.tif 000004
【図３】
2013013426.tif 000005
【図４】
2013013426.tif 000006
【図５】
2013013426.tif 000007
【図６】
2013013426.tif 000008
【図７】
2013013426.tif 000009
【図８】
2013013426.tif 000010
【図９】
2013013426.tif 000011